(57)【要約】      （修正有）【課題】必要な周波数帯域の信号成分を選択して出力する電子部品において、全体の回路素子の点数を低減し、小型化、低コスト化を図る。【解決手段】電子部品１０Ａは、分波回路１２と、第１及び第２のスイッチ１４ａ及び１４ｂとを有する。第１及び第２のスイッチ１４ａ及び１４ｂは、分波回路１２の２つの出力端子１８ａ及び１８ｂからそれぞれ出力される信号成分のうち、いずれか１つの信号成分を選択して出力信号として出力する。分波回路１２は、入力信号Ｓｉｎを、高域の信号成分ＳＨと低域の信号成分ＳＬとに振り分ける分波部２２と、高域の信号成分ＳＨから第１の信号成分Ｓａ（周波数帯域ｆ１１〜ｆ１２）を抽出する第１のフィルタ部２４ａと、低域の信号成分ＳＬから第２の信号成分Ｓｂ（周波数帯域ｆ２１〜ｆ２２）を抽出する第２のフィルタ部２４ｂとが配線基板２６に実装されることによって一体化されて１つの部品として構成されている。【選択図】図１
2006180352.tif 000002
【特許請求の範囲】
【請求項１】
１つの入力端子と、複数の出力端子とを有し、前記入力端子に供給された入力信号を複数の信号成分に分波して、それぞれ対応する出力端子から出力する分波回路と、
前記複数の出力端子にそれぞれ対応して接続された複数のスイッチとを有し、
前記複数のスイッチに対するオン／オフ制御によって、前記複数の出力端子からそれぞれ出力される信号成分のうち、いずれか１つの信号成分を選択して出力することを特徴とする電子部品。
【請求項２】
請求項１記載の電子部品において、
前記分波回路は、少なくとも、
前記入力信号を、高域の信号成分と低域の信号成分とに振り分ける分波部と、
前記高域の信号成分から第１の周波数帯域の信号成分を抽出する第１のフィルタ部と、
前記低域の信号成分から第２の周波数帯域の信号成分を抽出する第２のフィルタ部とが一体化されて１つの部品として構成されていることを特徴とする電子部品。
【請求項３】
請求項２記載の電子部品において、
前記分波部は、
前記入力端子と前記第１のフィルタ部間に接続されたキャパシタンスと、前記入力端子と前記第２のフィルタ部間に接続されたインダクタンスとを有することを特徴とする電子部品。
【請求項４】
請求項３記載の電子部品において、
前記第１のフィルタ部は、前記分波部側の初段がキャパシタンスである回路構成であって、かつ、該キャパシタンスと前記分波部の前記キャパシタンスとが合算された回路構成を有し、
前記第２のフィルタ部は、前記分波部側の初段がインダクタンスである回路構成であって、かつ、該インダクタンスと前記分波部の前記インダクタンスとが合算された回路構成を有することを特徴とする電子部品。
【請求項５】
請求項１〜４のいずれか１項に記載の電子部品において、
前記分波回路は、さらに、
前記第１のフィルタ部あるいは前記第２のフィルタ部からの信号成分を、高域の第１の信号成分と低域の第２の信号成分とに振り分ける第２の分波部と、
前記第１の信号成分から第３の周波数帯域の信号成分を抽出する第３のフィルタ部と、
前記第２の信号成分から第４の周波数帯域の信号成分を抽出する第４のフィルタ部とを含めて一体化されて１つの部品として構成されていることを特徴とする電子部品。
【請求項６】
請求項５記載の電子部品において、
前記第２の分波部は、
前記第１のフィルタ部あるいは前記第２のフィルタ部と前記第３のフィルタ部間に接続されたキャパシタンスと、前記第１のフィルタ部あるいは前記第２のフィルタ部と前記第４のフィルタ部間に接続されたインダクタンスとを有することを特徴とする電子部品。
【請求項７】
請求項６記載の電子部品において、
前記第３のフィルタ部は、前記第２の分波部側の初段がキャパシタンスである回路構成であって、かつ、該キャパシタンスと前記第２の分波部の前記キャパシタンスとが合算された回路構成を有し、
前記第４のフィルタ部は、前記第２の分波部側の初段がインダクタンスである回路構成であって、かつ、該インダクタンスと前記第２の分波部の前記インダクタンスとが合算された回路構成を有することを特徴とする電子部品。
【請求項８】
請求項１〜４のいずれか１項に記載の電子部品において、
前記分波回路は、さらに、
前記第１のフィルタ部からの信号成分を、高域の第１の信号成分と低域の第２の信号成分とに振り分ける第２の分波部と、
前記第２のフィルタ部からの信号成分を、高域の第３の信号成分と低域の第４の信号成分とに振り分ける第３の分波部と、
前記第１の信号成分から第３の周波数帯域の信号成分を抽出する第３のフィルタ部と、
前記第２の信号成分から第４の周波数帯域の信号成分を抽出する第４のフィルタ部と、
前記第３の信号成分から第５の周波数帯域の信号成分を抽出する第５のフィルタ部と、
前記第４の信号成分から第６の周波数帯域の信号成分を抽出する第６のフィルタ部とを含めて一体化されて１つの部品として構成されていることを特徴とする電子部品。
【請求項９】
請求項８記載の電子部品において、
前記第２の分波部は、前記第１のフィルタ部と前記第３のフィルタ部間に接続された第１のキャパシタンスと、前記第１のフィルタ部と前記第４のフィルタ部間に接続された第１のインダクタンスとを有し、
前記第３の分波部は、前記第２のフィルタ部と前記第５のフィルタ部間に接続された第２のキャパシタンスと、前記第２のフィルタ部と前記第６のフィルタ部間に接続された第２のインダクタンスとを有することを特徴とする電子部品。
【請求項１０】
請求項９記載の電子部品において、
前記第３のフィルタ部は、前記第２の分波部側の初段がキャパシタンスである回路構成であって、かつ、該キャパシタンスと前記第２の分波部の前記第１のキャパシタンスとが合算された回路構成を有し、
前記第４のフィルタ部は、前記第２の分波部側の初段がインダクタンスである回路構成であって、かつ、該インダクタンスと前記第２の分波部の前記第１のインダクタンスとが合算された回路構成を有し、
前記第５のフィルタ部は、前記第３の分波部側の初段がキャパシタンスである回路構成であって、かつ、該キャパシタンスと前記第３の分波部の前記第２のキャパシタンスとが合算された回路構成を有し、
前記第６のフィルタ部は、前記第３の分波部側の初段がインダクタンスである回路構成であって、かつ、該インダクタンスと前記第３の分波部の前記第２のインダクタンスとが合算された回路構成を有することを特徴とする電子部品。
【発明の詳細な説明】
【技術分野】
【０００１】
本発明は、必要な周波数帯域の信号成分を選択して出力する電子部品に関し、例えば電力線通信において、ノイズの多いキャリア帯域を避ける場合等に用いて好適な電子部品に関する。
【背景技術】
【０００２】
近時、高速ＰＬＣ（電力線通信）技術が提案され、開発されている。この電力線通信は、１００Ｖ（５０／６０Ｈｚ）の電力線に高周波信号を重畳させ、電力線を伝送路として双方向の通信を行う方式である（例えば特許文献１〜３参照）。
【０００３】
この電力線通信は、既存の電灯引込線・コンセントがそのまま利用できるため、新規の配線工事が不要であり、経済的である。プラグをコンセントに差し込むだけで接続でき、すぐに利用可能であるという利便性がある。
【０００４】
【特許文献１】特開２００３−３４７９７６号公報
【特許文献２】特開２００３−２１８７５０号公報
【特許文献３】特開２００３−１８８７７８号公報
【発明の開示】
【発明が解決しようとする課題】
【０００５】
しかし、電力線通信は、高周波を使用帯域としており、周辺の既存無線設備等に対する影響を背景電磁雑音以下とするような有効な漏洩電界の低減技術の確立が不可欠となっている。
【０００６】
つまり、電力線通信には、雑音・信号減衰を含めた以下の課題が存在する。国内における電力線は、ほとんどが架空配線であり、不平衡な線路を形成している。そのため、高周波電流を流すと電力線から電磁波が放射される。使用する高周波帯域では家電機器から発生する負荷ノイズや空中を伝播する飛来ノイズなどが電力線に重畳しモデムに混入する。電力線での信号減衰量が非常に大きい。これは、電力線に接続された末端負荷や電線路長および電線路分岐の影響があると考えられている。
【０００７】
そこで、上述のような電力線通信において、ノイズの多いキャリア帯域を避ける方式を用いることが考えられ、図１３に示すような提案例に係る電子部品１００の構成が考えられる。
【０００８】
この電子部品１００は、図１３に示すように、入力端子１０２と、第１のスイッチ１０４ａ、第２のスイッチ１０４ｂ、第１のフィルタ１０６ａ、第２のフィルタ１０６ｂ、第３のスイッチ１０４ｃ、第４のスイッチ１０４ｄ及び出力端子１０８を有する。
【０００９】
第１のスイッチ１０４ａは、入力端子１０２から延びる２つの信号ライン１１０ａ及び１１０ｂのうち、一方の信号ライン１１０ａに接続され、該一方の信号ライン１１０ａを伝達する信号を選択的に導通／非導通とする。
【００１０】
第１のフィルタ１０６ａは、第１のスイッチ１０４ａを通じて出力される信号から第１の周波数帯域の信号成分Ｓ１を抽出する。
【００１１】
第３のスイッチ１０４ｃは、前記一方の信号ライン１１０ａに接続され、第１のフィルタ１０６ａから出力される信号成分Ｓ１を選択的に導通／非導通とする。
【００１２】
第２のスイッチ１０４ｂは、入力端子１０２から延びる２つの信号ライン１１０ａ及び１１０ｂのうち、他方の信号ライン１１０ｂに接続され、該他方の信号ライン１１０ｂを伝達する信号を選択的に導通／非導通とする。
【００１３】
第２のフィルタ１０６ｂは、第２のスイッチ１０４ｂを通じて出力される信号から第２の周波数帯域の信号成分Ｓ２を抽出する。
【００１４】
第４のスイッチ１０４ｄは、前記他方の信号ライン１１０ｂに接続され、第２のフィルタ１０６ｂから出力される信号成分Ｓ２を選択的に導通／非導通とする。
【００１５】
そして、例えば第１のスイッチ１０４ａ及び第３のスイッチ１０４ｃをオン、第２のスイッチ１０４ｂ及び第４のスイッチ１０４ｄをオフにすることで、第１の周波数帯域の信号成分Ｓ１が出力端子１０８から出力される。
【００１６】
また、第１のスイッチ１０４ａ及び第３のスイッチ１０４ｃをオフ、第２のスイッチ１０４ｂ及び第４のスイッチ１０４ｄをオンにすることで、今度は、第２の周波数帯域の信号成分Ｓ２が出力端子１０８から出力される。
【００１７】
このように、第１〜第４のスイッチ１０４ａ〜１０４ｄを制御することで、第１の周波数帯域の信号成分Ｓ１と第２の周波数帯域の信号成分Ｓ２を選択的に出力端子１０８から出力させることができる。
【００１８】
しかしながら、上述の提案例に係る電子部品１００は、４つのスイッチ１０４ａ〜１０４ｄと２つのフィルタ１０６ａ及び１０６ｂにて構成するようにしており、特に、第１〜第４のスイッチ１０４ａ〜１０４ｄは、機械的なリレースイッチを使用することから、構成が複雑になり、サイズも大きくなるという問題がある。
【００１９】
この問題は、搬送波で使用する周波数帯域の種類が多くなるほど顕著になり、例えば３つの周波数帯域を使用する場合は、７つのスイッチが必要になり、４つの周波数帯域を使用する場合は、１０個ものスイッチが必要になる。
【００２０】
本発明はこのような課題を考慮してなされたものであり、上述のような電力線通信において、ノイズの多いキャリア帯域を避ける場合に用いられる電子部品において、全体の回路素子の点数を低減することができ、小型化、低コスト化を図ることができる電子部品を提供することを目的とする。
【課題を解決するための手段】
【００２１】
本発明に係る電子部品は、１つの入力端子と、複数の出力端子とを有し、前記入力端子に供給された入力信号を複数の信号成分に分波して、それぞれ対応する出力端子から出力する分波回路と、前記複数の出力端子にそれぞれ対応して接続された複数のスイッチとを有し、前記複数のスイッチに対するオン／オフ制御によって、前記複数の出力端子からそれぞれ出力される信号成分のうち、いずれか１つの信号成分を選択して出力することを特徴とする。
【００２２】
これにより、電力線通信において、ノイズの多いキャリア帯域を避ける場合に用いられる電子部品において、全体の回路素子の点数を低減することができ、小型化、低コスト化を図ることができる。
【００２３】
そして、前記構成において、前記分波回路は、少なくとも、前記入力信号を、高域の信号成分と低域の信号成分とに振り分ける分波部と、前記高域の信号成分から第１の周波数帯域の信号成分を抽出する第１のフィルタ部と、前記低域の信号成分から第２の周波数帯域の信号成分を抽出する第２のフィルタ部とが一体化されて１つの部品として構成してもよい。
【００２４】
すなわち、分波部と、第１のフィルタ部と、第２のフィルタ部とが一体化されて１つの分波回路（部品）とされるため、必要な周波数帯域の信号成分を選択して出力する電子部品において、全体の回路素子の点数を低減することができ、小型化、低コスト化を図ることができる。
【００２５】
また、前記分波部は、前記入力端子と前記第１のフィルタ部間に接続されたキャパシタンスと、前記入力端子と前記第２のフィルタ部間に接続されたインダクタンスとを有するようにしてもよい。この場合、入力信号のうち、高域の信号成分がキャパシタンスを通過し、この高域の信号成分のうち、第１の周波数帯域の信号成分が第１のフィルタにおいて抽出されて第１の出力端子に供給される。一方、入力信号のうち、低域の信号成分がインダクタンスを通過し、この低域の信号成分のうち、第２の周波数帯域の信号成分が第２のフィルタにおいて抽出されて第２の出力端子に供給される。そして、第１の周波数帯域の信号成分と第２の周波数帯域の信号成分のうち、いずれか１つの信号成分が、第１及び第２のスイッチによって選択されて出力されることになる。なお、前記分波部は、容量リアクタンス、誘導リアクタンスによる分波機能を有し、これは各リアクタンスによるスイッチ機能としても捉えることができることから、リアクタンススイッチとして定義することもできる。
【００２６】
また、前記構成において、前記第１のフィルタ部は、前記分波部側の初段がキャパシタンスである回路構成であって、かつ、該キャパシタンスと前記分波部の前記キャパシタンスとが合算された回路構成を有し、前記第２のフィルタ部は、前記分波部側の初段がインダクタンスである回路構成であって、かつ、該インダクタンスと前記分波部の前記インダクタンスとが合算された回路構成を有するようにしてもよい。この場合、分波部の形成を省略しても、等価的に第１及び第２のフィルタ部の初段において分波部が形成された形となるため、更なる小型化を図ることができる。
【００２７】
また、前記構成において、前記分波回路は、さらに、前記第１のフィルタ部あるいは前記第２のフィルタ部からの信号成分を、高域の第１の信号成分と低域の第２の信号成分とに振り分ける第２の分波部と、前記第１の信号成分から第３の周波数帯域の信号成分を抽出する第３のフィルタ部と、前記第２の信号成分から第４の周波数帯域の信号成分を抽出する第４のフィルタ部とを含めて一体化されて１つの部品として構成するようにしてもよい。
【００２８】
この場合、前記第２の分波部は、前記第１のフィルタ部あるいは前記第２のフィルタ部と前記第３のフィルタ部間に接続されたキャパシタンスと、前記第１のフィルタ部あるいは前記第２のフィルタ部と前記第４のフィルタ部間に接続されたインダクタンスとを有するようにしてもよい。
【００２９】
そして、前記第３のフィルタ部は、前記第２の分波部側の初段がキャパシタンスである回路構成であって、かつ、該キャパシタンスと前記第２の分波部の前記キャパシタンスとが合算された回路構成を有し、前記第４のフィルタ部は、前記第２の分波部側の初段がインダクタンスである回路構成であって、かつ、該インダクタンスと前記第２の分波部の前記インダクタンスとが合算された回路構成を有するようにしてもよい。
【００３０】
また、前記構成において、前記分波回路は、さらに、前記第１のフィルタ部からの信号成分を、高域の第１の信号成分と低域の第２の信号成分とに振り分ける第２の分波部と、前記第２のフィルタ部からの信号成分を、高域の第３の信号成分と低域の第４の信号成分とに振り分ける第３の分波部と、前記第１の信号成分から第３の周波数帯域の信号成分を抽出する第３のフィルタ部と、前記第２の信号成分から第４の周波数帯域の信号成分を抽出する第４のフィルタ部と、前記第３の信号成分から第５の周波数帯域の信号成分を抽出する第５のフィルタ部と、前記第４の信号成分から第６の周波数帯域の信号成分を抽出する第６のフィルタ部とを含めて一体化されて１つの部品として構成するようにしてもよい。
【００３１】
この場合、前記第２の分波部は、前記第１のフィルタ部と前記第３のフィルタ部間に接続された第１のキャパシタンスと、前記第１のフィルタ部と前記第４のフィルタ部間に接続された第１のインダクタンスとを有し、前記第３の分波部は、前記第２のフィルタ部と前記第５のフィルタ部間に接続された第２のキャパシタンスと、前記第２のフィルタ部と前記第６のフィルタ部間に接続された第２のインダクタンスとを有するようにしてもよい。
【００３２】
そして、前記第３のフィルタ部は、前記第２の分波部側の初段がキャパシタンスである回路構成であって、かつ、該キャパシタンスと前記第２の分波部の前記第１のキャパシタンスとが合算された回路構成を有し、前記第４のフィルタ部は、前記第２の分波部側の初段がインダクタンスである回路構成であって、かつ、該インダクタンスと前記第２の分波部の前記第１のインダクタンスとが合算された回路構成を有し、前記第５のフィルタ部は、前記第３の分波部側の初段がキャパシタンスである回路構成であって、かつ、該キャパシタンスと前記第３の分波部の前記第２のキャパシタンスとが合算された回路構成を有し、前記第６のフィルタ部は、前記第３の分波部側の初段がインダクタンスである回路構成であって、かつ、該インダクタンスと前記第３の分波部の前記第２のインダクタンスとが合算された回路構成を有するようにしてもよい。
【発明の効果】
【００３３】
以上説明したように、本発明に係る電子部品によれば、例えば電力線通信において、ノイズの多いキャリア帯域を避ける場合に用いられる電子部品において、全体の回路素子の点数を低減することができ、小型化、低コスト化を図ることができる。
【発明を実施するための最良の形態】
【００３４】
以下、本発明に係る電子部品を例えば電力線通信においてノイズの多いキャリア帯域を避ける場合等に適用した実施の形態例を図１〜図１２を参照しながら説明する。
【００３５】
まず、第１の実施の形態に係る電子部品１０Ａは、図１に示すように、分波回路１２と、２つのスイッチ（第１及び第２のスイッチ１４ａ及び１４ｂ）とを有する。第１及び第２のスイッチ１４ａ及び１４ｂとしては、機械式のリレースイッチ等を使用することができる。
【００３６】
分波回路１２は、１つの入力端子１６と、２つの出力端子（第１及び第２の出力端子１８ａ及び１８ｂ）とを有し、入力端子１６に供給された入力信号Ｓｉｎを２つの信号成分Ｓａ及びＳｂに分波して、それぞれ対応する出力端子１８ａ及び１８ｂから出力する。なお、入力信号Ｓｉｎとしては、限られた周波数帯の信号を想定している。
【００３７】
そして、第１及び第２のスイッチ１４ａ及び１４ｂに対するオン／オフ制御によって、前記第１及び第２の出力端子１８ａ及び１８ｂからそれぞれ出力される信号成分のうち、いずれか１つの信号成分が選択され、メインの出力端子２０を通じて出力信号Ｓｏｕｔとして出力される。すなわち、第１のスイッチ１４ａは、分波回路１２の第１の出力端子１８ａに接続され、該第１の出力端子１８ａから出力された信号成分Ｓａを選択的に導通／非導通とする。第２のスイッチ１４ｂは、分波回路１２の第２の出力端子１８ｂに接続され、該第２の出力端子１８ｂから出力された信号成分Ｓｂを選択的に導通／非導通とする。
【００３８】
特に、分波回路１２は、入力信号Ｓｉｎを、高域の信号成分ＳＨと低域の信号成分ＳＬとに振り分ける分波部２２と、高域の信号成分ＳＨから第１の信号成分Ｓａ（周波数帯域ｆ１１〜ｆ１２）を抽出する第１のフィルタ部２４ａと、低域の信号成分ＳＬから第２の信号成分Ｓｂ（周波数帯域ｆ２１〜ｆ２２）を抽出する第２のフィルタ部２４ｂとが一体化されて１つの部品として構成されている。
【００３９】
分波部２２は、図２に示すように、入力端子１６と第１のフィルタ部２４ａ間に接続されたキャパシタンスＣａと、入力端子１６と第２のフィルタ部２４ｂ間に接続されたインダクタンスＬａとを有する。
【００４０】
また、第１のフィルタ部２４ａは、キャパシタンスＣ１１より始まるｎ段ＨＰＦ（ハイパスフィルタ）であり、その出力側に第１の出力端子１８ａが接続されている。第２のフィルタ部２４ｂは、インダクタンスＬ２１より始まるｎ段ＬＰＦ（ローパスフィルタ）であり、その出力側に第２の出力端子１８ｂが接続されている。
【００４１】
１つの部品とは、図１に示すように、例えば１つの配線基板２６上に分波部２２と、第１のフィルタ部２４ａと、第２のフィルタ部２４ｂとが実装された形態などを示す。もちろん、１つの誘電体基板内に分波部２２、第１のフィルタ部２４ａ及び第２のフィルタ部２４ｂを形成して１つの部品としてもよい。
【００４２】
ここで、第１の実施の形態に係る電子部品１０Ａの作用について説明する。まず、入力信号Ｓｉｎのうち、高域の信号成分ＳＨが分波部２２のキャパシタンスＣａを通過し、この高域の信号成分ＳＨのうち、第１の信号成分Ｓａが第１のフィルタ部２４ａにおいて抽出されて第１の出力端子１８ａに供給される。
【００４３】
一方、入力信号Ｓｉｎのうち、低域の信号成分ＳＬが分波部２２のインダクタンスＬａを通過し、この低域の信号成分ＳＬのうち、第２の信号成分Ｓｂが第２のフィルタ部２４ｂにおいて抽出されて第２の出力端子１８ｂに供給される。
【００４４】
そして、第１の信号成分Ｓａと第２の信号成分Ｓｂのうち、いずれか１つの信号成分が、第１及び第２のスイッチ１４ａ及び１４ｂによって選択されてメインの出力端子２０より出力信号Ｓｏｕｔとして出力されることになる。
【００４５】
このように、第１の実施の形態に係る電子部品１０Ａにおいては、分波部２２と、第１のフィルタ部２４ａと、第２のフィルタ部２４ｂとが一体化されて１つの分波回路１２（部品）とされるため、必要な周波数帯域の信号成分を選択して出力する電子部品において、全体の回路素子の点数を低減することができ、小型化、低コスト化を図ることができる。これは、例えば電力線通信に使用される各種機器の小型化につながり、電力線通信の普及に寄与させることができる。
【００４６】
上述の第１の実施の形態では、分波部２２を、第１のフィルタ部２４ａ及び第２のフィルタ部２４ｂとは別の回路で形成した場合を示したが、その他、図３の変形例に係る電子部品１０Ａａのように、第１のフィルタ部２４ａの初段のキャパシタンスＣ１０１の値を、図２における分波部２２のキャパシタンスＣａと第１のフィルタ部２４ａのキャパシタンスＣ１１とを合算した値に設定し、第２のフィルタ部２４ｂの初段のインダクタンスＬ２０１の値を、図２における分波部２２のインダクタンスＬａと第２のフィルタ部２４ｂのインダクタンスＬ２１とを合算した値に設定することにより、分波部２２の形成を省略しても、等価的に分波部２２が形成された形となるため、更なる小型化を図ることができる。
【００４７】
次に、第２の実施の形態に係る電子部品１０Ｂについて図４及び図５を参照しながら説明する。
【００４８】
この第２の実施の形態に係る電子部品１０Ｂは、図４に示すように、上述した第１の実施の形態に係る電子部品１０Ａとほぼ同様の構成を有するが、以下の点で異なる。
【００４９】
すなわち、分波回路１２は、第１の分波部２２ａ、第１のフィルタ部２４ａ、第２のフィルタ部２４ｂ、第２の分波部２２ｂ、第３のフィルタ部２４ｃ及び第４のフィルタ部２４ｄが、例えば１つの配線基板２６に実装されることにより、一体化されて１つの部品として構成されている。
【００５０】
つまり、第２のフィルタ部２４ｂから出力された第２の信号成分Ｓｂから第３の信号成分Ｓｃと第４の信号成分Ｓｄを抽出する第２の分波部２２ｂ、第３のフィルタ部２４ｃ及び第４のフィルタ部２４ｄを有する点で異なる。
【００５１】
第２の分波部２２ｂは、図５に示すように、第２のフィルタ部２４ｂの出力側と第３のフィルタ部２４ｃ間に接続されたキャパシタンスＣｂと、第２のフィルタ部２４ｂの出力側と第４のフィルタ部２４ｄ間に接続されたインダクタンスＬｂとを有し、第２のフィルタ部２４ｂからの信号成分Ｓｂを、高域の信号成分ＳｂＨと低域の信号成分ＳｂＬとに振り分ける。
【００５２】
第３のフィルタ部２４ｃは、キャパシタンスＣ３１より始まるｎ段ＨＰＦ（ハイパスフィルタ）であり、高域の信号成分ＳｂＨから第３の信号成分Ｓｃ（周波数帯域ｆ３１〜ｆ３２）を抽出して第２の出力端子１８ｂに供給する。
【００５３】
第４のフィルタ部２４ｄは、インダクタンスＬ４１より始まるｎ段ＬＰＦ（ローパスフィルタ）であり、低域の信号成分ＳｂＬから第４の信号成分Ｓｄ（周波数帯域ｆ４１〜ｆ４２）を抽出して第３の出力端子１８ｃに供給する。
【００５４】
すなわち、第１のフィルタ部２４ａでハイパスフィルタが構成され、第２及び第３のフィルタ部２４ｂ及び２４ｃでバンドパスフィルタが構成され、第２及び第４のフィルタ部２４ｂ及び２４ｄでローパスフィルタが構成される。
【００５５】
また、図４に示すように、第１、第２及び第３のスイッチ１４ａ、１４ｂ及び１４ｃは、それぞれ分波回路１２の第１、第２及び第３の出力端子１８ａ、１８ｂ及び１８ｃに接続され、これら第１、第２及び第３の出力端子１８ａ、１８ｂ及び１８ｃから出力された３種類の信号成分Ｓａ、Ｓｂ及びＳｃを選択的に導通／非導通とする。つまり、第１、第２及び第３のスイッチ１４ａ、１４ｂ及び１４ｃに対するオン／オフ制御によって、第１、第２及び第３の出力端子１８ａ、１８ｂ及び１８ｃからそれぞれ出力される信号成分Ｓａ、Ｓｂ及びＳｃのうち、いずれか１つの信号成分が選択されて出力されることになる。
【００５６】
この第２の実施の形態に係る電子部品１０Ｂにおいても、必要な周波数帯域の信号成分を選択して出力する電子部品において、全体の回路素子の点数を低減することができ、小型化、低コスト化を図ることができる。
【００５７】
この場合も、図６の変形例に係る電子部品１０Ｂａのように、第１及び第２の分波部２２ａ及び２２ｂの形成を省略することが可能である。図６において、第３のフィルタ部２４ｃの初段のキャパシタンスＣ３０１は、図５における第２の分波部２２ｂのキャパシタンスＣｂと第３のフィルタ部２４ｃのキャパシタンスＣ３１とを合算した値に設定され、第４のフィルタ部２４ｄの初段のインダクタンスＬ４０１の値は、図５における第２の分波部２２ｂのインダクタンスＬｂと第２のフィルタ部２４ｂのインダクタンスＬ４１とを合算した値に設定される。
【００５８】
これにより、第１及び第２の分波部２２ａ及び２２ｂの形成を省略しても、等価的に第１及び第２の分波部２２ａ及び２２ｂが形成された形となるため、更なる小型化を図ることができる。
【００５９】
次に、第３の実施の形態に係る電子部品１０Ｃについて図７及び図８を参照しながら説明する。
【００６０】
この第３の実施の形態に係る電子部品１０Ｃは、図７に示すように、上述した第１の実施の形態に係る電子部品１０Ａとほぼ同様の構成を有するが、以下の点で異なる。
【００６１】
すなわち、分波回路１２は、第１の分波部２２ａ、第１のフィルタ部２４ａ、第２のフィルタ部２４ｂ、第３の分波部２２ｃ、第５のフィルタ部２４ｅ及び第６のフィルタ部２４ｆが、例えば１つの配線基板２６に実装されることにより、一体化されて１つの部品として構成されている。
【００６２】
つまり、第１のフィルタ部２４ａから出力された第１の信号成分Ｓａから第５の信号成分Ｓｅと第６の信号成分Ｓｆを抽出する第３の分波部２２ｃ、第５のフィルタ部２４ｅ及び第６のフィルタ部２４ｆを有する点で異なる。
【００６３】
第３の分波部２２ｃは、図８に示すように、第１のフィルタ部２４ａの出力側と第５のフィルタ部２４ｅ間に接続されたキャパシタンスＣｃと、第１のフィルタ部２４ａの出力側と第６のフィルタ部２４ｆ間に接続されたインダクタンスＬｃとを有し、第１のフィルタ部２４ａからの信号成分Ｓａを、高域の信号成分ＳａＨと低域の信号成分ＳａＬとに振り分ける。
【００６４】
第５のフィルタ部２４ｅは、キャパシタンスＣ５１より始まるｎ段ＨＰＦ（ハイパスフィルタ）であり、高域の信号成分ＳａＨから第５の信号成分Ｓｅ（周波数帯域ｆ５１〜ｆ５２）を抽出して第１の出力端子１８ａに供給する。
【００６５】
第６のフィルタ部２４ｆは、インダクタンスＬ６１より始まるｎ段ＬＰＦ（ローパスフィルタ）であり、低域の信号成分ＳａＬから第６の信号成分Ｓｆ（周波数帯域ｆ６１〜ｆ６２）を抽出して第２の出力端子１８ｂに供給する。
【００６６】
すなわち、第１及び第５のフィルタ部２４ａ及び２４ｅでハイパスフィルタが構成され、第１及び第６のフィルタ部２４ａ及び２４ｆでバンドパスフィルタが構成され、第２のフィルタ部２４ｂでローパスフィルタが構成される。
【００６７】
また、図７に示すように、第１、第２及び第３のスイッチ１４ａ、１４ｂ及び１４ｃは、それぞれ分波回路１２の第１、第２及び第３の出力端子１８ａ、１８ｂ及び１８ｃに接続され、これら第１、第２及び第３の出力端子１８ａ、１８ｂ及び１８ｃから出力された３種類の信号成分Ｓｅ、Ｓｆ及びＳｂを選択的に導通／非導通とする。つまり、第１、第２及び第３のスイッチ１４ａ、１４ｂ及び１４ｃに対するオン／オフ制御によって、第１、第２及び第３の出力端子１８ａ、１８ｂ及び１８ｃからそれぞれ出力される信号成分Ｓｅ、Ｓｆ及びＳｂのうち、いずれか１つの信号成分が選択されて出力されることになる。
【００６８】
この第３の実施の形態に係る電子部品１０Ｃにおいても、必要な周波数帯域の信号成分を選択して出力する電子部品において、全体の回路素子の点数を低減することができ、小型化、低コスト化を図ることができる。
【００６９】
この場合も、図９の変形例に係る電子部品１０Ｃａのように、第１及び第３の分波部２２ａ及び２２ｃの形成を省略することが可能である。図９において、第３のフィルタ部２４ｃの初段のキャパシタンスＣ５０１は、図８における第３の分波部２２ｃのキャパシタンスＣｃと第５のフィルタ部２４ｅのキャパシタンスＣ５１とを合算した値に設定され、第６のフィルタ部２４ｆの初段のインダクタンスＬ６０１の値は、図８における第３の分波部２２ｃのインダクタンスＬｃと第６のフィルタ部２４ｆのインダクタンスＬ６１とを合算した値に設定される。
【００７０】
これにより、第１及び第３の分波部２２ａ及び２２ｃの形成を省略しても、等価的に第１及び第３の分波部２２ａ及び２２ｃが形成された形となるため、更なる小型化を図ることができる。
【００７１】
次に、第４の実施の形態に係る電子部品１０Ｄについて図１０及び図１１を参照しながら説明する。
【００７２】
この第４の実施の形態に係る電子部品１０Ｄは、第２の実施の形態に係る電子部品１０Ｂと、第３の実施の形態に係る電子部品１０Ｃとを組み合わせた構成を有する。つまり、この第４の実施の形態に係る電子部品１０Ｄは、図１０及び図１１に示すように、第１のフィルタ部２４ａから出力された第１の信号成分Ｓａから第５の信号成分Ｓｅと第６の信号成分Ｓｆとを抽出する第３の分波部２２ｃ、第５のフィルタ部２４ｅ及び第６のフィルタ部２４ｆと、第２のフィルタ部２４ｂから出力された第２の信号成分Ｓｂから第３の信号成分Ｓｃと第４の信号成分Ｓｄとを抽出する第２の分波部２２ｂ、第３のフィルタ部２４ｃ及び第４のフィルタ部２４ｄとを有する。なお、第２及び第３の実施の形態に係る電子部品１０Ｂ及び１０Ｃと重複する部材については同符号を付してその説明を省略する。
【００７３】
そして、第１、第２、第３及び第４のスイッチ１４ａ、１４ｂ、１４ｃ及び１４ｄに対するオン／オフ制御によって、第１、第２、第３及び第４の出力端子１８ａ、１８ｂ、１８ｃ及び１８ｄからそれぞれ出力される信号成分Ｓｅ、Ｓｆ、Ｓｃ及びＳｄのうち、いずれか１つの信号成分が選択されて出力されることになる。
【００７４】
この第４の実施の形態に係る電子部品１０Ｄにおいても、必要な周波数帯域の信号成分を選択して出力する電子部品において、全体の回路素子の点数を低減することができ、小型化、低コスト化を図ることができる。
【００７５】
この場合も、図１２の変形例に係る電子部品１０Ｄａのように、第１、第２及び第３の分波部２２ａ、２２ｂ及び２２ｃの形成を省略することが可能である。つまり、第１、第２及び第３の分波部２２ａ、２２ｂ及び２２ｃの形成を省略しても、等価的に第１、第２及び第３の分波部２２ａ、２２ｂ及び２２ｃが形成された形となるため、更なる小型化を図ることができる。
【００７６】
上述の例では、電力線通信において、ノイズの多いキャリア帯域を避ける場合等に適用した場合を示したが、必要な周波数帯域の信号成分を選択して出力するものであれば、様々な電子機器に適用することができる。
【００７７】
なお、本発明に係る電子部品は、上述の実施の形態に限らず、本発明の要旨を逸脱することなく、種々の構成を採り得ることはもちろんである。
【図面の簡単な説明】
【００７８】
【図１】第１の実施の形態に係る電子部品を示すブロック図である。
【図２】第１の実施の形態に係る電子部品における分波回路を示す回路図である。
【図３】第１の実施の形態に係る電子部品の変形例における分波回路を示す回路図である。
【図４】第２の実施の形態に係る電子部品を示すブロック図である。
【図５】第２の実施の形態に係る電子部品における分波回路を示す回路図である。
【図６】第２の実施の形態に係る電子部品の変形例における分波回路を示す回路図である。
【図７】第３の実施の形態に係る電子部品を示すブロック図である。
【図８】第３の実施の形態に係る電子部品における分波回路を示す回路図である。
【図９】第３の実施の形態に係る電子部品の変形例における分波回路を示す回路図である。
【図１０】第４の実施の形態に係る電子部品を示すブロック図である。
【図１１】第４の実施の形態に係る電子部品における分波回路を示す回路図である。
【図１２】第４の実施の形態に係る電子部品の変形例における分波回路を示す回路図である。
【図１３】提案例に係る電子部品を示すブロック図である。
【符号の説明】
【００７９】
１０Ａ、１０Ａａ、１０Ｂ、１０Ｂａ、１０Ｃ、１０Ｃａ、１０Ｄ、１０Ｄａ…電子部品
１２…分波回路                          １４ａ〜１４ｄ…スイッチ
１６…入力端子                          １８ａ〜１８ｄ…出力端子
２０…メインの出力端子                  ２２、２２ａ〜２２ｃ…分波部
２４ａ〜２４ｆ…フィルタ部              ２６…配線基板
【図１】
2006180352.tif 000003
【図２】
2006180352.tif 000004
【図３】
2006180352.tif 000005
【図４】
2006180352.tif 000006
【図５】
2006180352.tif 000007
【図６】
2006180352.tif 000008
【図７】
2006180352.tif 000009
【図８】
2006180352.tif 000010
【図９】
2006180352.tif 000011
【図１０】
2006180352.tif 000012
【図１１】
2006180352.tif 000013
【図１２】
2006180352.tif 000014
【図１３】
2006180352.tif 000015